(57)【要約】【課題】  小型のセクタ駆動装置を提供する。【解決手段】  開口３を備えた基板２と、支軸６、７、８を中心にして前記開口の一部を閉じる閉位置と前記開口から退避した退避位置との間を揺動するセクタ１０、２０、３０を複数備えたセクタ駆動装置１であって、前記複数のセクタのそれぞれが前記閉位置にあるときに、該セクタの背部と前記開口の縁部との間に隙間ａ、ｂ、ｃが生じると共に、前記セクタの動作と連動して前記支軸を中心に揺動し、前記隙間を遮蔽する複数の補助セクタ１５、２５、３５を更に備える。本発明によると基板を小さく形成できるので小型のセクタ駆動装置とすることができる。【選択図】    図２
2006154312.tif 000002
【特許請求の範囲】
【請求項１】
開口を備えた基板と、支軸を中心にして前記開口の一部を閉じる閉位置と前記開口から退避した退避位置との間を揺動するセクタを複数備えたセクタ駆動装置であって、
前記複数のセクタのそれぞれが前記閉位置にあるときに、該セクタの背部と前記開口の縁部との間に隙間が生じると共に、
前記複数のセクタの動作と連動して前記支軸を中心に揺動し、前記隙間を遮蔽する複数の補助セクタを更に備えることを特徴とするセクタ駆動装置。
【請求項２】
前記複数のセクタが前記閉位置にあるときに、該複数のセクタによって前記開口よりも小さな開口が形成されることを特徴とする請求項１に記載のセクタ駆動装置。
【請求項３】
前記複数のセクタ及び前記複数の補助セクタのそれぞれには該セクタ及び該補助セクタを揺動させる駆動ピンとの係合用の長穴が形成されており、
同じ支軸に軸支された組となる前記セクタ及び前記補助セクタの前記長穴は同じ前記駆動ピンに係合し、
前記セクタの長穴が、前記補助セクタよりも前記退避位置から前記閉位置までの移動量が大きくなるように形成されていることを特徴とする請求項１または２に記載のセクタ駆動装置。
【請求項４】
前記組となる前記セクタの長穴及び前記補助セクタの長穴が、前記セクタ及び前記補助セクタが前記退避位置で互いに重なるように形成されていることを特徴とする請求項３に記載のセクタ駆動装置。
【請求項５】
前記基板に外周部の一部を切欠いた狭幅部分が形成されており、組となる前記セクタ及び前記補助セクタが前記狭幅部分を前記退避位置とするように配置されている特徴とする請求項４に記載のセクタ駆動装置。
【発明の詳細な説明】
【技術分野】
【０００１】
本発明は、撮像装置に組込まれて使用されるセクタ駆動装置に関する。より詳細には、複数のセクタを備えるセクタ駆動装置に関する。
【背景技術】
【０００２】
一般にカメラ等の撮像装置には、シャッタ装置や絞り装置等のように羽根（セクタ）を駆動する装置が内蔵されている。シャッタ装置はシャッタ羽根を揺動させて基板に形成されている撮影用の開口を開閉する。絞り装置は絞り羽根を揺動させて基板（地板と称する場合もある）に形成されている開口を通過する光を絞って光量を調整する。撮像装置は近年、急速に小型化されている。よって、これに対応して撮像装置に内蔵するセクタ駆動装置についてもより一層の小型化を図ることが求められている。
【０００３】
例えば、特許文献１は従来の絞り装置について開示している。この絞り装置は開口の一部を閉じる絞り羽根を開口の周部に複数配置している。また、絞り羽根を揺動させるための駆動リングを備えている。各絞り羽根はピンを２個ずつ備え、一方のピンを基板に嵌合させて支軸とし、他方のピンを駆動リングの長穴（カム溝）に挿入している。この絞り装置は駆動リングで絞り羽根を揺動させて所望の絞り状態を形成する。
【０００４】
【特許文献１】特開２００３−５７７１５号公報
【発明の開示】
【発明が解決しようとする課題】
【０００５】
しかしながら、特許文献１の絞り装置は幅が広い複数の絞り羽根を用い、それぞれの絞り羽根を異なる支軸（ピン）を中心に揺動させる。そのため基板が一定面積以上に大きくなってしまうので小型化することが困難である。また、各絞り羽根がピンを２個ずつ有しており、それぞれが基板と駆動リングとに係合している。この絞り装置は多数のピンを含むので、ピンを配置する場所の確保及びピン位置を調整することが必要となる。この絞り装置は配置するピン数が多いという点でも小型化が困難である。
【０００６】
そこで、本発明の目的は小型のセクタ駆動装置を提供することである。
【課題を解決するための手段】
【０００７】
上記目的は、開口を備えた基板と、支軸を中心にして前記開口の一部を閉じる閉位置と前記開口から退避した退避位置との間を揺動するセクタを複数備えたセクタ駆動装置であって、前記複数のセクタのそれぞれが前記閉位置にあるときに、該セクタの背部と前記開口の縁部との間に隙間が生じると共に、前記複数のセクタの動作と連動して前記支軸を中心に揺動し、前記隙間を遮蔽する複数の補助セクタを更に備えるセクタ駆動装置によって達成できる。
【０００８】
本発明のセクタ駆動装置は、開口の縁部との間に隙間が生じる程度の幅のセクタと前記隙間を遮蔽する補助セクタとにより前記開口を閉じる状態を形成する。これにより各セクタを小さく、特に幅を狭い形状にできる。よって、本発明によると基板を小さく形成できるので、小型のセクタ駆動装置とすることができる。
【０００９】
また、前記複数のセクタが前記閉位置にあるときに、該複数のセクタによって前記開口よりも小さな開口が形成されてもよい。
【００１０】
また、前記複数のセクタ及び前記複数の補助セクタのそれぞれには該セクタ及び該補助セクタを揺動させる駆動ピンとの係合用の長穴が形成されており、同じ支軸に軸支された組となる前記セクタ及び前記補助セクタの前記長穴は同じ前記駆動ピンに係合し、前記セクタの長穴が、前記補助セクタよりも前記退避位置から前記閉位置までの移動量が大きくなるように形成されてもよい。
【００１１】
また、前記組となる前記セクタの長穴及び前記補助セクタの長穴が、前記セクタ及び前記補助セクタが前記退避位置で互いに重なるように形成されてもよい。そして、前記基板に外周部の一部を切欠いた狭幅部分が形成されており、組となる前記セクタ及び前記補助セクタが前記狭幅部分を前記退避位置とするように配置してもよい。
【発明の効果】
【００１２】
本発明によると、複数のセクタを備えているセクタ駆動装置の小型化を促進できる。
【発明を実施するための最良の形態】
【００１３】
以下、図面を参照して本発明に係る一実施形態を説明する。ここではセクタ駆動装置の一実施例として絞り装置を示す。図１は、実施例に係る絞り装置１が全開状態であるときの要部構成を示した図である。図２は、同装置１が小絞り状態にあるときの要部構成を示した図である。
【００１４】
絞り装置１は、開口３を備えた基板２と、この基板２に揺動自在に軸支される６枚の絞り羽根１０、１５、２０、２５、３０、３５とを備えている。この絞り装置１で、後述する小絞り開口を形成する本来の絞り羽根に相当するものは１０、２０、３０の３枚である。残りの羽根１５、２５、３５は補助羽根として機能する。以下では絞り羽根１０、２０、３０をそれぞれ第１セクタ１０、第２セクタ２０、第３セクタ３０と称する。同様に、補助羽根１５、２５、３５をそれぞれ第１補助セクタ１５、第２補助セクタ２５、第３補助セクタ３５と称する。なお、図１、２では、説明のために第１補助セクタ１５、第２補助セクタ２５、第３補助セクタ３５の部分を破線で示している。また、基板２の基本形状は円板状である。この基板２は開口３に対する所定の接線と平行な直線で外周部の一部を切断し、点線で示した部分４が切欠かれた形状となっている。このように基板２に切欠部分４を設けていることについては後述する。
【００１５】
基板２の片面側には、第１の支軸６、第２の支軸７、第３の支軸８の３本が立設されている。これらの支軸６、７、８は、例えば開口３の中心回りに略１２０°の間隔で配置されている。第１の支軸６には、前述した第１セクタ１０及び第１補助セクタ１５が揺動自在に軸支されている。同様に、第２の支軸７には、前述した第２セクタ２０及び第２補助セクタ２５が揺動自在に軸支されている。第３の支軸８には、前述した第３セクタ３０及び第３補助セクタ３５が揺動自在に軸支されている。
【００１６】
第１セクタ１０には、上記支軸６と係合する丸穴１１と、揺動のための長穴１２が形成されている。また、第１補助セクタ１５には、上記支軸６と係合する丸穴１６と、揺動のための長穴１７が形成されている。図３を参照して、第１セクタ１０と第１補助セクタ１５との関係について説明する。図３（Ａ）は図１で示す全開状態での第１セクタ１０及び第１補助セクタ１５を取り出して示した図であり、図３（Ｂ）は図２で示す小絞り状態での第１セクタ１０及び第１補助セクタ１５を取り出して示した図である。
【００１７】
第１セクタ１０の長穴１２及び第１補助セクタ１５の長穴１７は、同一の駆動ピン４１と係合している。駆動ピン４１は図４で示す駆動リング４０に固定されている。駆動リング４０はモータ５０のロータ５１と係合している。駆動リング４０に固定された駆動ピン４１は、第１の位置４１−１と第２の位置４２−２の範囲を移動可能である。なお、駆動リング４０に固定された他の駆動ピン４２は第２セクタ２０の長穴２２及び第２補助セクタ２５の長穴２７に係合し、駆動ピン４３は第３セクタ３０の長穴３２及び第３補助セクタ３５の長穴３７に係合するように配置されている。
【００１８】
図３（Ａ）で示すように、駆動ピン４１が第１の位置４１−１にあるときには、第１セクタ１０及び第１補助セクタ１５が開口３に掛からない（閉じない）退避位置に移動されて全開状態を形成する（図１参照）。一方、図３（Ｂ）で示すように、駆動ピン４１が第２の位置４１−２となったときには、第１セクタ１０及び第１補助セクタ１５が開口３の一部を閉じる位置に移動されて小絞り状態を形成する（図２参照）。
【００１９】
ここで、図３（Ａ）と図３（Ｂ）とを比較すると、第１セクタ１０の移動量が第１補助セクタ１５より大きいことが確認できる。前述したように第１セクタ１０が小絞り開口を形成する絞り羽根である。この第１セクタ１０は絞り羽根として機能する他の２枚のセクタ２０、３０と協働して開口３よりも小さい領域（小絞り開口、図２のＳＴ）を形成して小絞り状態を形成する。長穴１２は、駆動ピン４１の移動に伴って第１補助セクタ１５よりも第１セクタ１０が大きく移動（位置変化）するように形成されている。具体的には、図３（Ａ）で示すように、全開状態にあるときに第１セクタ１０の長穴１２は第１補助セクタ１５の長穴２２よりも開口３側への傾斜が大きく形成されている。よって、駆動ピン４１が位置４１−１から位置４１−２へ向けて移動するときに、長穴１２の内壁を駆動ピン４１が押し出す状態となるので、第１セクタ１０の移動量が第１補助セクタ１５の移動量よりも大きくなる。
【００２０】
上記で説明した第１セクタ１０及び第１補助セクタ１５と駆動リング４０との組の関係は、他の第２セクタ２０と第２補助セクタ２５との組、第３セクタ３０と第３補助セクタ３５との組についても同様である。すなわち、第２セクタ２０の長穴２２及び第２補助セクタ２５の長穴２７に駆動リング４０の駆動ピン４２が係合し、これらのセクタを揺動させる。また、第３セクタ３０の長穴３２及び第３補助セクタ３５の長穴３７に駆動リング４０の駆動ピン４３が係合し、これらのセクタを揺動させる。よって、図４で示す駆動リング４０を駆動して、駆動ピン４１〜４３が第１の位置（それぞれ（−１）で示す位置）に来ると図１で示す全開状態が形成され、駆動ピン４１〜４３が第２の位置（それぞれ（−２）で示す位置）に来ると図２で示す小絞り状態が形成される。
【００２１】
ところで、小絞り状態を示している図２を詳細に検討すると、例えば第１セクタ１０の背部側（小絞り開口の一部を形成する側に対して反対側）と開口３の縁部との間に隙間が発生している。この隙間の一部は第３セクタ３０により遮蔽されるが隙間ａが残っている。隙間ａを第１補助セクタ１５が遮蔽している。同様に、第２セクタ２０の背部側に発生する隙間ｂを補助セクタ２５が遮蔽し、また第３セクタ３０の背部側に発生する隙間ｃを補助セクタ３５が遮蔽している。
【００２２】
一般にセクタ駆動装置は、使用するセクタの大きさ（特に幅）及びセクタの揺動範囲に応じて基板面積（基板の外形）が規定されてしまう。本実施例の絞り装置１では、上記のように第１セクタ１０、第２セクタ２０及び第３セクタ３０が、従来の補助セクタを設けない場合のセクタよりも幅が狭くなっている。そして、小絞り状態を形成したときに各セクタの背部に発生する隙間ａ〜ｃを補助セクタ１５、２５、３５で遮蔽するという構成を採用する。補助セクタ１５、２５、３５は、隙間を遮蔽するだけであるのでセクタ１０、２０、３０も同様に幅が狭く形成される。よって、基板２を小さく形成できるので、絞り装置１は小型化を促進することができる。
【００２３】
そして、図１で示すように、組をなす第１セクタ１０の長穴１２と第１補助セクタ１５の長穴１７は退避位置で互いに重なるように形成されている。同様に第２セクタ２０の長穴２２と第２補助セクタ２５の長穴２７も退避位置で互いに重なるように形成され、第３セクタ３０の長穴３２と第２補助セクタ３５の長穴３７も退避位置で互いに重なるように形成されている。このようにセクタと補助セクタが退避位置にあるとき、すなわち全開状態のときに基板２上でセクタが余分なスペースを取らない構造としたことによっても絞り装置１は小型化されている。
【００２４】
さらに図１を参照して、基板２に形成した前述の切欠部分４について説明する。絞り装置１を撮像装置等に組込むときには、周辺の部品との配置関係も調整して可能な限り撮像装置の小型化を図る必要がある。このように基板２に切欠部分４を設けることにより、撮像装置内での基板２の占有部分を減少させて他の部品を効率良く配置できる。しかし、絞り装置１側から見ると切欠部分４を形成した基板２の残り部分は狭くなってしまう。この部分を狭幅部分２ａという。この狭幅部分２ａをセクタの退避位置に設定することは一般に困難である。
【００２５】
ところが、絞り装置１で使用する各セクタ１０，２０，３０及び補助セクタ１５，２５，３５は前述したように従来のセクタと比較して特に幅が狭く、開口３を開いたときに重なった状態となる。よって、この狭幅部分２ａを退避位置とすることができる。図示した例では、第２セクタ２０及び第２補助セクタ２５の組が狭幅部分２ａを退避位置としている。
【００２６】
以上説明した絞り装置１は、それぞれを小さく形成したセクタ１０、２０、３０及び補助セクタ１５、２５、３５によって小絞り状態を形成するようにしているので従来よりも基板２の外形を小さく形成できる。その結果、絞り装置１の小型化を図ることができる。また、１つの支軸に２枚のセクタを軸支するので、使用するセクタ数に対して支軸数を低減している。よって、この点でも構造を簡素化して小型化を図ることができる。
【００２７】
上記実施例では、セクタ及び補助セクタをそれぞれ３枚、合計６枚のセクタを揺動させる絞り装置について説明したが、基板２や開口３のサイズに応じてセクタと補助セクタ組の数を適宜に増減することができる。
【００２８】
また、上記実施例ではセクタ駆動装置として絞り装置を例示しているのでセクタが前記開口３を閉じる状態を小絞り状態としている。セクタ駆動装置をシャッタ装置とする場合には、前記開口３を閉じる状態を開口３を完全に閉じる全閉状態とすればよい。
【００２９】
以上本発明の好ましい一実施形態について詳述したが、本発明は係る特定の実施形態に限定されるものではなく、特許請求の範囲に記載された本発明の要旨の範囲内において、種々の変形・変更が可能である。
【図面の簡単な説明】
【００３０】
【図１】実施例に係る絞り装置が全開状態であるときの要部構成を示した図である。
【図２】実施例に係る絞り装置が小絞り状態にあるときの要部構成を示した図である。
【図３】（Ａ）は図１で示す全開状態での第１セクタ及び第１補助セクタを取り出して示した図であり、（Ｂ）は図２で示す小絞り状態での第１セクタ及び第１補助セクタを取り出して示した図である。
【図４】セクタ及び補助セクタ揺動させる駆動リングについて示した図である。
【符号の説明】
【００３１】
１                  絞り装置（セクタ駆動装置）
２                  基板
３                  開口
６、７、８          支軸
１０                第１セクタ
１５                第１補助セクタ
２０                第２セクタ
２５                第２補助セクタ
３０                第３セクタ
３５                第３補助セクタ
ａ、ｂ、ｃ          隙間
【図１】
2006154312.tif 000003
【図２】
2006154312.tif 000004
【図３】
2006154312.tif 000005
【図４】
2006154312.tif 000006